(57)【要約】【課題】放送系のデータ、通信系のデータ、記録媒体から再生されたデータ又はメモリから読み出されたデータを拡張モジュールの種別、記録部の容量及び記録部に記録されたデータ、並びに拡張モジュールの使用状態に応じて適切な記録部に記録することができる車載装置を提供する。【解決手段】制御部１０１は、モジュール２００及びモジュール２００’が第１スロット１３０及び第２スロット１４０にそれぞれ装着された場合、ＤＴＶのデータ、ＡＭ／ＦＭ放送のデータ、ＷｉＭＡＸのデータ又はＣＤ／ＤＶＤのデータを、モジュール２００，２００’の種別、ＨＤＤ２０５，２０２’の容量及びＨＤＤ２０５，２０２’に記録されたデータ又はモジュール２００，２００’の使用状況に応じて、ＨＤＤ２０５，２０２’のいずれか一方に記録する。【選択図】図１
2010258810.tif 000002
【特許請求の範囲】
【請求項１】
第１の記録部を有する、車載装置の機能を拡張するための第１の拡張モジュールが接続される第１のスロットと、
第２の記録部を有する、車載装置の機能を拡張するための第２の拡張モジュールが接続される第２のスロットと、
放送局から送信される放送系のデータを受信する第１のアンテナ、無線端末との間で送受信が行われる通信系のデータを受信する第２のアンテナ、記録媒体を再生する再生機器又はメモリからデータを読み出す読出し装置と接続するための接続部と、
前記第１の拡張モジュールが前記第１のスロットに接続され、かつ、前記第２の拡張モジュールが前記第２のスロットに接続される場合、前記第１の拡張モジュール及び前記第２の拡張モジュールの種別、前記第１の記録部及び前記第２の記録部の容量と前記第１の記録部及び前記第２の記録部に記録されたデータ、並びに前記第１の拡張モジュール及び前記第２の拡張モジュールの使用状態を判別し、前記放送系のデータ、前記通信系のデータ、前記記録媒体から再生されたデータ又は前記メモリから読み出されたデータを、前記第１の拡張モジュール及び前記第２の拡張モジュールの種別、前記第１の記録部及び前記第２の記録部の容量と前記第１の記録部及び前記第２の記録部に記録されたデータ、又は前記第１の拡張モジュール及び前記第２の拡張モジュールの使用状態に応じて、前記第１の記録部と前記第２の記録部のうちのいずれか一方に記録する制御部と、
を有することを特徴とする車載装置。
【請求項２】
前記種別は、前記第１の拡張モジュール及び前記第２の拡張モジュールが前記放送系のデータ、前記通信系のデータ、前記記録媒体から再生されたデータ又は前記メモリから読み出されたデータを符号化するエンコーダを有するか否かに基づく種別、及び／又は、前記第１の拡張モジュール及び前記第２の拡張モジュールが有する記録機能以外の機能に基づく種別である、請求項１に記載の車載装置。
【請求項３】
前記制御部は、前記放送系のデータ、前記通信系のデータ、前記記録媒体から再生されたデータ又は前記メモリから読み出されたデータのデータサイズが前記第１の記録部又は前記第２の記録部の空き容量より大きく、かつ、前記第１の記録部又は前記第２の記録部に記録されたデータの削除又は前記第１の記録部と前記第２の記録部の一方の記録されたデータの他方への移動が可能である場合、前記放送系のデータ、前記通信系のデータ、前記記録媒体から再生されたデータ又は前記メモリから読み出されたデータを記録するための容量を確保するために、前記第１の記録部又は前記第２の記録部に記録されたデータを削除し又は前記第１の記録部と前記第２の記録部の一方の記録されたデータを他方に移動する、請求項１又は２に記載の車載装置。
【請求項４】
前記制御部は、前記通信系のデータ、前記記録媒体から再生されたデータ又は前記メモリから読み出されたデータの前記第１の記録部又は前記第２の記録部への記録中に前記放送系のデータを受信したとき、前記通信系のデータ、前記記録媒体から再生されたデータ又は前記メモリから読み出されたデータの記録を中断し、前記放送系のデータを前記第１の記録部又は前記第２の記録部に記録する、請求項１から３のうちのいずれか１項に記載の車載装置。
【請求項５】
前記制御部は、前記放送系のデータの前記第１の記録部又は前記第２の記録部への記録中、前記放送系のデータの受信状態に応じて前記放送系のデータの記録を中断するか否かを決定する、請求項１から４のうちのいずれか１項に記載の車載装置。
【発明の詳細な説明】
【技術分野】
【０００１】
本発明は、車載装置の機能を拡張するための拡張モジュールを接続することが可能な車載装置に関する。
【背景技術】
【０００２】
自動車に搭載されているナビゲーション装置等の車載装置としては、各種機能の追加及び削除を簡単に行うために複数の拡張モジュールを着脱自在にした車載装置（例えば、特許文献１）が提案されている。このような拡張モジュールとしては、放送局から送信されるデジタルテレビ、ＦＭ放送、ＡＭ放送等の放送系のデータを受信し、無線端末との間で送受信が行われるＷｉＭＡＸ（Ｗｏｒｌｄｗｉｄｅ  Ｉｎｔｅｒｏｐｅｒａｂｉｌｉｔｙ  Ｆｏｒ  Ｍｉｃｒｏｗａｖｅ  Ａｃｃｅｓｓ）等の規格に基づいて送受信された通信系のデータを受信し、ＣＤ、ＤＶＤ等の記録媒体からデータを再生し、又はＳＤカードのような記録媒体若しくはＵＳＢメモリのような記憶装置からデータを読み出す機能を有するものもある。また、放送系のデータ、通信系のデータ、記録媒体から再生されたデータ又はメモリから読み出されたデータを記録するために、メモリカード等を利用する車載装置（例えば、特許文献２，３）も提案されている。
【先行技術文献】
【特許文献】
【０００３】
【特許文献１】特開平１１−１８０２２２号公報
【特許文献２】特開平１１−２０１７６１号公報
【特許文献３】特開２００４−３３８５６８号公報
【発明の概要】
【発明が解決しようとする課題】
【０００４】
しかしながら、従来の車載装置において、メモリカード等を利用した記録部を拡張モジュールに設け、放送系のデータ、通信系のデータ、記録媒体から再生されたデータ又はメモリから読み出されたデータを記録部に記録することを所望したとしても、拡張モジュールの種別、記録部の容量及び記録部に記録されたデータ、並びに拡張モジュールの使用状態によっては、データを適切な記録部に記録できない場合がある。
【０００５】
本発明の目的は、放送系のデータ、通信系のデータ、記録媒体から再生されたデータ又はメモリから読み出されたデータを、拡張モジュールの種別、記録部の容量及び記録部に記録されたデータ、並びに拡張モジュールの使用状態に応じて適切な記録部に記録することができる車載装置を提供することである。
【課題を解決するための手段】
【０００６】
本発明による車載装置は、第１の記録部を有する、車載装置の機能を拡張するための第１の拡張モジュールが接続される第１のスロットと、第２の記録部を有する、車載装置の機能を拡張するための第２の拡張モジュールが接続される第２のスロットと、放送局から送信される放送系のデータを受信する第１のアンテナ、無線端末との間で送受信が行われる通信系のデータを受信する第２のアンテナ、記録媒体を再生する再生機器又はメモリからデータを読み出す読出し装置と接続するための接続部と、前記第１の拡張モジュールが前記第１のスロットに接続され、かつ、前記第２の拡張モジュールが前記第２のスロットに接続される場合、前記第１の拡張モジュール及び前記第２の拡張モジュールの種別、前記第１の記録部及び前記第２の記録部の容量と前記第１の記録部及び前記第２の記録部に記録されたデータ、並びに前記第１の拡張モジュール及び前記第２の拡張モジュールの使用状態を判別し、前記放送系のデータ、前記通信系のデータ、前記記録媒体から再生されたデータ又は前記メモリから読み出されたデータを、前記第１の拡張モジュール及び前記第２の拡張モジュールの種別、前記第１の記録部及び前記第２の記録部の容量と前記第１の記録部及び前記第２の記録部に記録されたデータ、又は前記第１の拡張モジュール及び前記第２の拡張モジュールの使用状態に応じて、前記第１の記録部と前記第２の記録部のうちのいずれか一方に記録する制御部と、を有することを特徴とする。
【発明の効果】
【０００７】
本発明による車載装置によれば、第１の拡張モジュールが第１のスロットに接続され、かつ、第２の拡張モジュールが第２のスロットに接続される場合、第１の拡張モジュール及び第２の拡張モジュールの種別、第１の記録部及び第２の記録部の容量と第１の記録部及び第２の記録部に記録されたデータ、並びに第１の拡張モジュール及び第２の拡張モジュールの使用状態を判別する。放送系のデータ、通信系のデータ、記録媒体から再生されたデータ又はメモリから読み出されたデータは、第１の拡張モジュール及び第２の拡張モジュールの種別、第１の記録部及び第２の記録部の容量と第１の記録部及び第２の記録部に記録されたデータ、又は第１の拡張モジュール及び第２の拡張モジュールの使用状態に応じて、第１の記録部と第２の記録部のうちのいずれか一方に記録される。その結果、放送系のデータ、通信系のデータ、記録媒体から再生されたデータ又はメモリから読み出されたデータを、拡張モジュールの種別、記録部の容量及び記録部に記録されたデータ、並びに拡張モジュールの使用状態に応じて適切な記録部に記録することができる。
【図面の簡単な説明】
【０００８】
【図１】本発明による車載システムの概略構成を示す図である。
【図２】他のモジュールの概略構成を示す図である。
【図３】車載装置の処理フローの第１例を示す図である。
【図４】車載装置の処理フローの第２例を示す図である。
【図５】車載装置の処理フローの第３例を示す図である。
【図６】車載装置の処理フローの第４例を示す図である。
【図７】車載装置の処理フローの第５例を示す図である。
【図８】車載装置の処理フローの第６例を示す図である。
【図９】車載装置の処理フローの第７例を示す図である。
【発明を実施するための形態】
【０００９】
本発明による車載装置を、図面を参照して詳細に説明する。
図１は、本発明による車載装置を有する車載システムの概略構成を示す図である。車載システム１は、車載装置１００に装着可能である、車載装置の機能を拡張するための第１の拡張モジュール及び第２の拡張モジュールとしてのモジュール２００及び３００、車載装置１００に接続された、表示部制御用の表示部マイコン１１を含み液晶ディスプレイ及び操作部として機能するタッチパネル等から構成される表示部１０、車両（図示せず）の周囲（例えば、ドライバーの死角となりやすい後方）を撮影して表示部１０に表示するためのＣＣＤ撮像素子等から構成されるカメラ２０、車両に備えられたエンジン始動用のキーシリンダと電気的に一体に構成されているアクセサリスイッチ（ＡＣＣスイッチ）３０、バッテリ４０、車両のフロント及び／又はリアガラスに配置されるデジタルテレビ（ＤＴＶ）用のアンテナ５０、ＡＭ／ＦＭ用のアンテナ６０及びＷｉＭＡＸ用のアンテナ７０、車両の各部に配置された複数又は単数のスピーカ８０、及びＣＤ／ＤＶＤ再生用デッキ９０等から構成されている。
【００１０】
車載装置１００は、メインマイコン等から構成される制御部１０１、ＲＡＭ１０２、ＲＯＭ１０３、電源用マイコン１０４、車載装置１００内の各要素及び各モジュールへ電力を供給し、過電流及び／又は過電圧保護を行うレギュレータ１０５、各モジュール等との間の信号のやり取りを制御する分配回路１１０、映像信号及び／又は音声信号の処理を行うデジタル信号処理部（ＤＳＰ）１２０、ＡＭ／ＦＭ放送を受信するためのチューナモジュール１２１、スピーカ７０への音声信号を増幅するためのアンプ１２２、１セグ用のＤＴＶ用のチューナモジュール１２３、ＷｉＭＡＸ送受信モジュール１２４、モジュールと接続するための第１スロット１３０及び第２スロット１４０等から構成されている。
【００１１】
モジュール２００は、エンコーダ付データ記録モジュールであり、図１に示す車載システム１の状態では、第１スロット１３０とコネクタ２０１とが接続されるようにして、車載装置１００に装着されている。モジュール２００は、コネクタ２０１、ＡＭ／ＦＭ用のアンテナ６０によって受信したＡＭ／ＦＭ放送のデータ、ＷｉＭＡＸ用のアンテナ７０によって送受信されたＷｉＭＡＸのデータ又はＣＤ／ＤＶＤデッキ８０によって再生されたＣＤ／ＤＶＤのデータを符号化するエンコーダ２０２、エンコーダ２０２により符号化されたＡＭ／ＦＭ放送のデータＷｉＭＡＸのデータ又はＣＤ／ＤＶＤのデータが制御部１０１によって記録される第１の記録部としてのＨＤＤ２０３、ＨＤＤ２０３に記録されたデータを復号化して車載装置１００に出力するデコーダ２０４、ＨＤＤ２０３に記録されたデータが制御部１０１によって転送されるＵＳＢメモリが挿入されるＵＳＢスロット２０５、ＨＤＤ２０３に記録されたデータが制御部１０１によって転送されるＳＤカードが挿入されるＳＤスロット２０６、及びモジュールＩＤ（ＭＩＤ）を記録した第１ＭＩＤ出力回路２０７等から構成される。
【００１２】
第１ＭＩＤ出力回路２０７には、モジュール２００がデコーダ付データ記録モジュールであることを示すＩＤ（例えば、０１１）と、モジュール２００が前述した記録系のモジュールであることを示すＩＤ（例えば、Ｘ）とを組み合わせたＩＤ（例えば、”０１１−Ｘ”）が記録される。
【００１３】
また、制御部１０１では、分配回路１１０及び第１スロット１３０を介して、第１ＭＩＤ出力回路２０７からのＭＩＤを受信する。このように、車載装置１００が本来有していない機能が、第１モジュール２００の装着によって追加される（機能が拡張される）。
【００１４】
モジュール２００’は、データ記録モジュールであり、図１に示す車載システム１の状態では、第２スロット１４０とコネクタ２０１’とが接続されるようにして、車載装置１００に装着されている。モジュール２００’は、コネクタ２０１’、 ＡＭ／ＦＭ用のアンテナ６０によって受信したＡＭ／ＦＭ放送のデータ、ＷｉＭＡＸ用のアンテナ７０によって送受信されたＷｉＭＡＸのデータ又はＣＤ／ＤＶＤデッキ８０によって再生されたＣＤ／ＤＶＤのデータが符号化されることなく制御部１０１によって記録されるとともに記録されたデータを制御部１０１の制御により車載装置１００に出力する第２の記録部としてのＨＤＤ２０２’、ＵＳＢスロット２０３’、ＳＤスロット２０４’、及びモジュールＩＤ（ＭＩＤ）を記録した第２ＭＩＤ出力回路２０５’等から構成される。
【００１５】
第２ＭＩＤ出力回路２０５’には、モジュール２００’がデータ記録モジュールであることを示すＩＤ（例えば、００１）と、モジュール２００’が前述した記録系のモジュールであることを示すＩＤ（例えば、Ｘ）とを組み合わせたＩＤ（例えば、”００１−Ｘ”）が記録される。
【００１６】
また、制御部１０１では、分配回路１１０及び第２スロット１４０を介して、第２ＭＩＤ出力回路２０５’からのＭＩＤを受信する。このように、車載装置１００が本来有していない機能が、第２モジュール２００’の装着によって追加される（機能が拡張される）。
【００１７】
車載装置１００は、表示部１０、カメラ２０、及びＣＤ／ＤＶＤ再生デッキ９０のいずれか一つ又は複数の一体的に構成されてもよい。また、図１において、車載装置１００に内蔵されているＡＭ／ＦＭ用チューナモジュール１２１、１セグ用のＤＴＶ用チューナモジュール１２３及びＷｉＭＡＸ送受信モジュール１２４は、車載装置１００の外部に、例えば、ＣＤ／ＤＶＤ再生デッキ８０と同様に別体として構成されてもよい。また、モジュール２００，２００’に内蔵されているＵＳＢスロット２０４，２０３’及び／又はＳＤスロット２０５，２０４’も、車載装置１００の外部に、例えば、ＣＤ／ＤＶＤ再生デッキ８０と同様に別体として構成されてもよい。
【００１８】
制御部１０１は、第１スロット１３０及び第２スロット１４０にモジュール２００，２００’がそれぞれ装着された場合、モジュールがデコーダを有するか否か、モジュール２００，２００’が有する機能（例えば、ＡＭ／ＦＭ放送受信機能）等の種別に関する情報、ＨＤＤ２０３，２０２’の空き容量、データを記録するための空き容量を確保するためにＨＤＤ２０３，２０２’のデータの移動又は削除が可能であるか否か等のＨＤＤ２０３，２０２’の容量とＨＤＤ２０３，２０２’に記録されたデータに関する情報、及びモジュール２００，２００’がどのようなデータを記録中であるか等のモジュール２００，２００’の使用状況についての情報をモジュール２００，２００’から読み取り、これらの情報をＲＡＭ１０２に格納する。
【００１９】
図２は、他のモジュールの概略構成を示す図である。
【００２０】
図２Ａは、モジュール３００を示し、モジュール３００は、エンコーダ付データ記録及びＡＭ／ＦＭ放送受信モジュールである。モジュール３００は、コネクタ３０１、エンコーダ３０２、ＨＤＤ３０３、デコーダ３０４、第１スロット１３０又は第２スロット１４０への接続時に制御部１０１によってＨＤＤ３０３のデータが転送されるＵＳＢメモリが挿入されるＵＳＢスロット３０５、第１スロット１３０又は第２スロット１４０への接続時に制御部１０１によってＨＤＤ３０３のデータが転送されるＳＤカードが挿入されるＳＤスロット３０６、及びモジュールＩＤ（ＭＩＤ）を記録した第３ＭＩＤ出力回路３０７、ＡＭ／ＦＭ放送を受信するためのチューナモジュール３０８等から構成される。
【００２１】
第３ＭＩＤ出力回路３０６には、モジュール３００がデコーダ付データ記録及びＡＭ／ＦＭ放送受信モジュールであることを示すＩＤ（例えば、１１１）と、モジュール３００が前述した放送及び記録系のモジュールであることを示すＩＤ（例えば、Ｙ）とを組み合わせたＩＤ（例えば、”１１１−Ｙ”）が記録される。
【００２２】
モジュール３００を利用すれば、ＡＭ／ＦＭ用のアンテナ６０によって受信した信号が分配回路１０及び第１スロット１３０又は第２スロット１４０を通じてモジュール３００に送信され、ＡＭ／ＦＭ放送の受信を、本モジュールを介して行うことができる。また、図１において、制御部１０１では、分配回路１１０及び第１スロット１３０又は第２スロット１４０を介して、第３ＭＩＤ出力回路３０６からのＭＩＤを受信する。このように、車載装置１００が本来有していない機能が、モジュール３００の装着によって追加される（機能が拡張される）。なお、ＡＭ／ＦＭ用のアンテナ６０をモジュール４００に内蔵することもできる。
【００２３】
図２Ｂは、モジュール４００を示し、モジュール４００は、エンコーダ付データ記録及びＤＴＶ受信モジュールである。モジュール４００は、コネクタ４０１、エンコーダ４０２、ＨＤＤ４０３、デコーダ４０４、ＵＳＢスロット４０５、ＳＤスロット４０６、及びモジュールＩＤ（ＭＩＤ）を記録した第４ＭＩＤ出力回路４０７、ＤＴＶを受信するためのチューナモジュール４０８等から構成される。
【００２４】
第４ＭＩＤ出力回路４０７には、モジュール４００がデコーダ付データ記録及びＤＴＶ受信モジュールであることを示すＩＤ（例えば、２１１）と、モジュール４００が前述した放送及び記録系のモジュールであることを示すＩＤ（例えば、Ｙ）とを組み合わせたＩＤ（例えば、”２１１−Ｙ”）が記録される。
【００２５】
モジュール４００を利用すれば、ＤＴＶ用のアンテナ５０によって受信した信号が分配回路１０及び第１スロット１３０又は第２スロット１４０を通じてモジュール４００に送信され、ＤＴＶの受信を、本モジュールを介して行うことができる。また、図１において、制御部１０１では、分配回路１１０及び第１スロット１３０又は第２スロット１４０を介して、第４ＭＩＤ出力回路４０６からのＭＩＤを受信する。このように、車載装置１００が本来有していない機能が、モジュール４００の装着によって追加される（機能が拡張される）。なお、ＤＴＶ用のアンテナ５０をモジュール４００に内蔵することもできる。
【００２６】
図２Ｃは、モジュール５００を示し、モジュール５００は、エンコーダ付データ記録及びＷｉＭＡＸ送受信モジュールである。モジュール５００は、コネクタ５０１、エンコーダ５０２、ＨＤＤ５０３、デコーダ５０４、ＵＳＢスロット５０５、ＳＤスロット５０６、及びモジュールＩＤ（ＭＩＤ）を記録した第５ＭＩＤ出力回路５０７、ＷｉＭＡＸ送受信モジュール５０８等から構成される。
【００２７】
第５ＭＩＤ出力回路５０８には、デコーダ付データ記録及びＷｉＭＡＸ送受信モジュールであることを示すＩＤ（例えば、３１１）と、モジュール４００が前述した通信及び記録系のモジュールであることを示すＩＤ（例えば、Ｚ）とを組み合わせたＩＤ（例えば、”３１１−Ｚ”）が記録される。
【００２８】
モジュール５００を利用すれば、ＷｉＭＡＸ用のアンテナ７０によって送受信した信号が分配回路１０及び第１スロット１３０又は第２スロット１４０を通じてモジュール５００に送信され、ＷｉＭａｘ規格の無線通信を、本モジュールを介して行うことができる。また、図１において、制御部１０１では、分配回路１１０及び第１スロット１３０又は第２スロット１４０を介して、第５ＭＩＤ出力回路５０７からのＭＩＤを受信する。このように、車載装置１００が本来有していない機能が、モジュール５００の装着によって追加される（機能が拡張される）。なお、ＷｉＭＡＸ用のアンテナ７０をモジュール５００に内蔵することもできる。
【００２９】
車載装置１００に装着可能なモジュールとして、例えば、Ｂｌｕｅｔｏｏｔｈ（登録商標）用のモジュール、ＤＣＭ用のモジュール等を利用することも可能である。さらに、モジュール４００をより高性能化して、フルセグ（１２セグ）のデジタルテレビ放送と１セグのデジタルテレビ放送とを放送状態に応じて切り替えて表示することができるデジタルテレビ用モジュール、米国における地上はデジタル音声放送であるＩＢＯＣ（Ｉｎ  Ｂａｎｄ  ｏｎ  Ｃｈａｎｎｅｌ）方式のハイブリッドＨＤ（Ｈｉｇｈ  Ｄｅｆｉｎｉｔｉｏｎ）ラジオ放送搬送波を受信するためのＩＢＯＣ用モジュール等を利用することも可能である。
【００３０】
図３は、車載装置の処理フローの第１例を示す図である。図３に示す処理フローは、第１スロット１３０及び第２スロット１４０に装着されたＨＤＤ付のモジュールがデコーダを有するか否かの種別に応じてデータの記録が可能なモジュールの個数を判断するための処理フローであり、主に制御部１０１がＲＯＭ１０３に予め記憶されたプログラムに従って車載システム１内の各モジュール及び／又は要素を協働して実行される。図３に示す処理フローは、ＤＴＶ又はＡＭ／ＦＭ放送のデータ、ＷｉＭＡＸのデータ、ＣＤ／ＤＶＤから再生されたデータ又はＳＤカード若しくはＵＳＢメモリから読み出されたデータの記録を表示部１０の操作によって開始したときに実行される。また、図３に示す処理フローが開始される時点で、これから車載システム１に装着されるモジュールを除いて、車載装置１００を含む車載システム１の各モジュール又は要素には、電源が供給され、動作が可能な状態になっているものとする。
【００３１】
先ず、ステップＳ１において、制御部１０１は、第１スロット１３０及び第２スロット１４０に装着されたモジュールの両方がエンコーダを有するか否か判断する。第１スロット１３０及び第２スロット１４０に装着されたモジュールの両方がエンコーダを有する場合、ステップＳ２において、制御部１０１は、記録するデータの符号化が必要であるか否か、すなわち、記録するデータが符号化されているか否か判断する。記録するデータの符号化が必要である場合、ステップＳ３において、制御部１０１は、第１スロット１３０及び第２スロット１４０に装着されたモジュールの両方にデータの記録が可能であると判断し、処理フローを終了する。それに対し、記録するデータの符号化が必要でない場合、ステップＳ４において、第１スロット１３０及び第２スロット１４０に装着されたモジュールのいずれも記録ができないと判断し、処理フローを終了する。
【００３２】
ステップＳ１で第１スロット１３０及び第２スロット１４０に装着されたモジュールの両方がエンコーダを有しないと判断された場合、ステップＳ５において、制御部１０１は、第１スロット１３０及び第２スロット１４０に装着されたモジュールの一方がエンコーダを有するか否か判断する。第１スロット１３０及び第２スロット１４０に装着されたモジュールの一方がエンコーダを有する場合、ステップＳ６において、制御部１０１は、第１スロット１３０及び第２スロット１４０に装着されたモジュールの一方にデータの記録が可能であると判断し、処理フローを終了する。それに対し、第１スロット１３０及び第２スロット１４０に装着されたモジュールの一方がエンコーダを有しない、すなわち、第１スロット１３０及び第２スロット１４０に装着されたモジュールの両方がエンコーダを有しない場合、ステップＳ７において、制御部１０１は、記録するデータの符号化が必要であるか否か判断する。記録するデータの符号化が必要でない場合、ステップＳ８において、制御部１０１は、第１スロット１３０及び第２スロット１４０に装着されたモジュールの両方にデータの記録が可能であると判断し、処理フローを終了する。それに対し、記録するデータの符号化が必要である場合、ステップＳ９において、第１スロット１３０及び第２スロット１４０に装着されたモジュールのいずれも記録ができないと判断し、処理フローを終了する。
【００３３】
この処理フローによれば、モジュールがエンコーダを有するか否かにの種別に応じて、ＤＴＶ又はＡＭ／ＦＭ放送のデータ、ＷｉＭＡＸのデータ、ＣＤ／ＤＶＤから再生されたデータ又はＳＤカード若しくはＵＳＢメモリから読み出されたデータを記録できるモジュールの個数を判断することができ、後に説明する処理フローを通じて、ＤＴＶ又はＡＭ／ＦＭ放送のデータ、ＷｉＭＡＸのデータ、ＣＤ／ＤＶＤから再生されたデータ又はＳＤカード若しくはＵＳＢメモリから読み出されたデータを適切なＨＤＤに記録することができる。
【００３４】
図４は、車載装置の処理フローの第２例を示す図である。図４に示す処理フローは、第１スロット１３０及び第２スロット１４０に装着されたモジュールが使用中であるか否かを判断するための処理フローであり、主に制御部１０１がＲＯＭ１０３に予め記憶されたプログラムに従って車載システム１内の各モジュール及び／又は要素を協働して実行される。図４に示す処理フローは、図３の処理フローのステップＳ３及びＳ８で第１スロット１３０及び第２スロット１４０に装着されたモジュールの両方にデータの記録が可能であると判断されたときに実行される。また、図４に示す処理フローが開始される時点で、これから車載システム１に装着されるモジュールを除いて、車載装置１００を含む車載システム１の各モジュール又は要素には、電源が供給され、動作が可能な状態になっているものとする。
【００３５】
先ず、ステップＳ１１において、制御部１０１は、第１スロット１３０に装着されたモジュールが使用中であるか否か判断する。第１スロット１３０に装着されたモジュールが使用中でないと判断された場合、ステップＳ１２において、制御部１０１は、第２スロット１４０に装着されたモジュールが使用中であるか否か判断する。第２スロット１４０に装着されたモジュールが使用中でないと判断された場合、ステップＳ１３において、制御部１３０は、第１スロット１３０及び第２スロット１４０に装着されたモジュールの両方が未使用であると判断し、この処理フローを終了し、それに対し、第２スロット１４０に装着されたモジュールが使用中であると判断された場合、ステップＳ１４において、制御部１３０は、第１スロット１３０及び第２スロット１４０に装着されたモジュールの一方が未使用で他方が使用中であると判断し、この処理フローを終了する。
【００３６】
ステップＳ１１で第１スロット１３０に装着されたモジュールが使用中であると判断された場合、ステップＳ１５において、制御部１０１は、第２スロット１４０に装着されたモジュールが使用中であるか否か判断する。第２スロット１４０に装着されたモジュールが使用中でないと判断された場合、ステップＳ１４に進み、それに対し、第２スロット１４０に装着されたモジュールが使用中であると判断された場合、ステップＳ１６において、制御部１３０は、第１スロット１３０及び第２スロット１４０に装着されたモジュールの両方が使用中であると判断し、この処理フローを終了する。
【００３７】
この処理フローによれば、第１スロット１３０及び第２スロット１４０に装着されたモジュールが使用中であるか否かを判断することができ、後に説明する処理フローを通じて、ＤＴＶ又はＡＭ／ＦＭ放送のデータ、ＷｉＭＡＸのデータ、ＣＤ／ＤＶＤから再生されたデータ又はＳＤカード若しくはＵＳＢメモリから読み出されたデータを適切なＨＤＤに記録することができる。
【００３８】
図５は、車載装置の処理フローの第３例を示す図である。図５に示す処理フローは、第１スロット１３０及び第２スロット１４０に装着されたモジュールが有する記録機能以外の機能（例えば、モジュール３００のようにＡＭ／ＦＭ放送を受信する機能、モジュール４００のようにＤＴＶを受信する機能、モジュール５００のようにＷｉＭＡＸデータを送受信する機能）に基づく種別及びモジュールのＨＤＤの空き容量に応じてデータの記録を行う処理フローであり、主に制御部１０１がＲＯＭ１０３に予め記憶されたプログラムに従って車載システム１内の各モジュール及び／又は要素を協働して実行される。図５に示す処理フローは、図４の処理フローのステップＳ１３で第１スロット１３０及び第２スロット１４０に装着されたモジュールの両方が未使用であると判断されたときに実行される。また、図５に示す処理フローが開始される時点で、これから車載システム１に装着されるモジュールを除いて、車載装置１００を含む車載システム１の各モジュール又は要素には、電源が供給され、動作が可能な状態になっているものとする。
【００３９】
先ず、ステップＳ２１において、制御部１０１は、第１スロット１３０及び第２スロット１４０に装着されたモジュールの機能及び空き容量を判断し、データを記録するか否かの判断を行うモジュールの選択順位を決定する。モジュールの選択順位は、次のようにして決定される。
（１）第１スロット１３０及び第２スロット１４０に装着されたモジュールの両方が記録機能以外の機能を有する場合、記録機能以外の機能の数の少ない方のモジュールが最初に選択され、記録機能以外の機能の数の多い方のモジュールが次に選択される。
（２）第１スロット１３０及び第２スロット１４０に装着されたモジュールの記録機能以外の機能の数が同一であり又は第１スロット１３０及び第２スロット１４０に装着されたモジュールの両方が記録機能以外の機能を有しない場合、空き容量の多い方のモジュールが最初に選択され、空き容量の少ない方のモジュールが次に選択される。
（３）第１スロット１３０及び第２スロット１４０に装着されたモジュールの記録機能以外の機能の数が同一であり又は第１スロット１３０及び第２スロット１４０に装着されたモジュールの両方が記録機能以外の機能を有さず、かつ、第１スロット１３０及び第２スロット１４０に装着されたモジュールの空き容量が同一である場合、予め選択されたスロット（例えば、第１スロット１３０）に装着されたモジュールが最初に選択され、予め選択されなかったスロット（例えば、第２スロット１４０）が次に選択される。
【００４０】
次に、ステップＳ２２において、最初に選択されたモジュールについて、制御部１０１は、モジュールのＨＤＤの空き容量が記録するデータのデータサイズ以上であるか否か判断する。モジュールのＨＤＤの空き容量が記録するデータのデータサイズ以上である場合、ステップＳ２３において、制御部１０１は、モジュールのＨＤＤにデータを記録し、この処理フローを終了する。それに対し、モジュールのＨＤＤの空き容量が記録するデータのデータサイズ未満である場合、ステップＳ２４において、制御部１０１は、データを記録するための容量を確保するためにモジュールのＨＤＤに記録したデータを他のモジュールのＨＤＤに移動することができるか否か判断する。
【００４１】
データを記録するための容量を確保するためにモジュールのＨＤＤに記録したデータを他のモジュールのＨＤＤに移動することができる場合、ステップＳ２５において、制御部１０１は、自動的に又は表示部１０の操作に従って、モジュールのＨＤＤに記録したデータを他のモジュールのＨＤＤに移動し、ステップＳ２３に進む。それに対し、モジュールのＨＤＤに記録したデータを他のモジュールのＨＤＤに移動することができない場合、ステップＳ２６において、制御部１０１は、データを記録するための容量を確保するためにモジュールのＨＤＤに記録したデータを削除することができるか否か判断する。
【００４２】
データを記録するための容量を確保するためにモジュールのＨＤＤに記録したデータを削除することができる場合、ステップＳ２７において、制御部１０１は、自動的に又は表示部１０の操作に従って、モジュールのＨＤＤに記録したデータを削除し、ステップＳ２３に進む。それに対し、モジュールのＨＤＤに記録したデータを削除することができない場合、ステップＳ２８において、次に選択されたモジュールについて、制御部１０１は、モジュールのＨＤＤの空き容量が記録するデータのデータサイズ以上であるか否か判断する。モジュールのＨＤＤの空き容量が記録するデータのデータサイズ以上である場合、ステップＳ２３に進み、それに対し、モジュールのＨＤＤの空き容量が記録するデータのデータサイズ未満である場合、ステップＳ２９において、制御部１０１は、データを記録するための容量を確保するためにモジュールのＨＤＤに記録したデータを他のモジュールのＨＤＤに移動することができるか否か判断する。
【００４３】
データを記録するための容量を確保するためにモジュールのＨＤＤに記録したデータを他のモジュールのＨＤＤに移動することができる場合、ステップＳ３０において、制御部１０１は、自動的に又は表示部１０の操作に従って、モジュールのＨＤＤに記録したデータを他のモジュールのＨＤＤに移動し、ステップＳ２３に進む。それに対し、モジュールのＨＤＤに記録したデータを他のモジュールのＨＤＤに移動することができない場合、ステップＳ３１において、制御部１０１は、データを記録するための容量を確保するためにモジュールのＨＤＤに記録したデータを削除することができるか否か判断する。
【００４４】
データを記録するための容量を確保するためにモジュールのＨＤＤに記録したデータを削除することができる場合、ステップＳ３２において、制御部１０１は、自動的に又は表示部１０の操作に従って、モジュールのＨＤＤに記録したデータを削除し、ステップＳ２３に進む。それに対し、モジュールのＨＤＤに記録したデータを削除することができない場合、この処理フローを終了する。
【００４５】
この処理フローによれば、第１スロット１３０及び第２スロット１４０に装着されたモジュールが有する記録機能以外の機能に基づく種別及びモジュールのＨＤＤの空き容量に応じてデータの記録を行うことができる。その結果、ＤＴＶ又はＡＭ／ＦＭ放送のデータ、ＷｉＭＡＸのデータ、ＣＤ／ＤＶＤから再生されたデータ又はＳＤカード若しくはＵＳＢメモリから読み出されたデータを適切なＨＤＤに記録することができる。
【００４６】
図６は、車載装置の処理フローの第４例を示す図である。図６に示す処理フローは、モジュールの使用状況及びモジュールのＨＤＤの空き容量に応じてデータの記録を行う処理フローであり、主に制御部１０１がＲＯＭ１０３に予め記憶されたプログラムに従って車載システム１内の各モジュール及び／又は要素を協働して実行される。図６に示す処理フローは、図４の処理フローのステップＳ１４で第１スロット１３０及び第２スロット１４０に装着されたモジュールの一方が未使用で他方が使用中あると判断され、ＡＭ／ＦＭ放送又はＤＴＶの受信状態が良好であるときに実行される。また、図６に示す処理フローが開始される時点で、これから車載システム１に装着されるモジュールを除いて、車載装置１００を含む車載システム１の各モジュール又は要素には、電源が供給され、動作が可能な状態になっているものとする。
【００４７】
先ず、ステップＳ４１において、制御部１０１は、未使用であるモジュールのＨＤＤの空き容量が記録するデータのデータサイズ以上であるか否か判断する。モジュールのＨＤＤの空き容量が記録するデータのデータサイズ以上である場合、ステップＳ４２において、制御部１０１は、モジュールのＨＤＤにデータを記録し、この処理フローを終了する。それに対し、モジュールのＨＤＤの空き容量が記録するデータのデータサイズ未満である場合、ステップＳ４３において、制御部１０１は、データを記録するための容量を確保するためにモジュールのＨＤＤに記録したデータを削除することができるか否か判断する。
【００４８】
データを記録するための容量を確保するためにモジュールのＨＤＤに記録したデータを削除することができる場合、ステップＳ４４において、制御部１０１は、自動的に又は表示部１０の操作に従って、モジュールのＨＤＤに記録したデータを削除し、ステップＳ４２に進む。それに対し、データを記録するための容量を確保するためにモジュールのＨＤＤに記録したデータを削除することができない場合、ステップＳ４５において、制御部１０１は、表示部１０の操作によってＡＭ／ＦＭ放送又はＤＴＶのデータの記録が開始され、かつ、使用中のモジュールがＡＭ／ＦＭ放送又はＤＴＶのデータ以外のデータ（例えば、ＷｉＭＡＸのデータ、ＣＤ／ＤＶＤから再生されたデータ又はＳＤカード若しくはＵＳＢメモリから読み出されたデータ）の記録を行っているか否か判断する。
【００４９】
表示部１０の操作によってＡＭ／ＦＭ放送又はＤＴＶのデータの記録が開始されず、又は、使用中のモジュールがＡＭ／ＦＭ放送又はＤＴＶのデータ以外のデータの記録を行っていない場合、この処理フローを終了する。それに対し、表示部１０の操作によってＡＭ／ＦＭ放送又はＤＴＶのデータの記録が開始され、かつ、使用中のモジュールがＡＭ／ＦＭ放送又はＤＴＶのデータ以外のデータの記録を行っている場合、ステップＳ４６において、制御部１０１は、使用中のモジュールのＨＤＤの空き容量が記録するデータのデータサイズ以上であるか否か判断する。モジュールのＨＤＤの空き容量が記録するデータのデータサイズ以上である場合、ステップＳ４２に進み、それに対し、モジュールのＨＤＤの空き容量が記録するデータのデータサイズ未満である場合、ステップＳ４７において、制御部１０１は、データを記録するための容量を確保するためにモジュールのＨＤＤに記録したデータを削除することができるか否か判断する。
【００５０】
データを記録するための容量を確保するためにモジュールのＨＤＤに記録したデータを削除することができる場合、ステップＳ４８において、制御部１０１は、自動的に又は表示部１０の操作に従って、モジュールのＨＤＤに記録したデータを削除し、ステップＳ４２に進む。それに対し、データを記録するための容量を確保するためにモジュールのＨＤＤに記録したデータを削除することができない場合、この処理フローを終了する。
【００５１】
この処理フローによれば、ＡＭ／ＦＭ放送やＤＴＶのデータのようなリアルタイム性を有する放送系のデータの記録を、一方のモジュールが放送系のデータ以外のデータを記録中であったとしても放送系のデータ以外のデータの記録を中断した後に行うことができる。その結果、ＤＴＶ又はＡＭ／ＦＭ放送のデータを適切なＨＤＤに記録することができる。
【００５２】
図７は、車載装置の処理フローの第５例を示す図である。図７に示す処理フローは、モジュールの使用状況及びモジュールのＨＤＤの空き容量に応じてデータの記録を行う処理フローであり、主に制御部１０１がＲＯＭ１０３に予め記憶されたプログラムに従って車載システム１内の各モジュール及び／又は要素を協働して実行される。図７に示す処理フローは、図４の処理フローのステップＳ１６で第１スロット１３０及び第２スロット１４０に装着されたモジュールの両方が使用中あると判断され、ＡＭ／ＦＭ放送又はＤＴＶの受信状態が良好であるときに実行される。また、図７に示す処理フローが開始される時点で、これから車載システム１に装着されるモジュールを除いて、車載装置１００を含む車載システム１の各モジュール又は要素には、電源が供給され、動作が可能な状態になっているものとする。
【００５３】
先ず、ステップＳ５１において、制御部１０１は、第１スロット１３０及び第２スロット１４０に装着されたモジュールの空き容量を判断し、データを記録するか否かの判断を行うモジュールの選択順位を決定する。モジュールの選択順位は、空き容量の多い方のモジュールが最初に選択され、空き容量の少ない方のモジュールが次に選択されるが、第１スロット１３０及び第２スロット１４０に装着されたモジュールの空き容量が同一である場合、予め選択されたスロット（例えば、第１スロット１３０）に装着されたモジュールが最初に選択され、予め選択されなかったスロット（例えば、第２スロット１４０）が次に選択される。次に、ステップＳ５２において、制御部１０１は、表示部１０の操作によってＡＭ／ＦＭ放送又はＤＴＶのデータの記録が開始され、かつ、最初に選択されたモジュールがＡＭ／ＦＭ放送又はＤＴＶのデータ以外のデータの記録を行っているか否か判断する。
【００５４】
表示部１０の操作によってＡＭ／ＦＭ放送又はＤＴＶのデータの記録が開始され、かつ、最初に選択されたモジュールがＡＭ／ＦＭ放送又はＤＴＶのデータ以外のデータの記録を行っている場合、ステップＳ５３において、制御部１０１は、使用中のモジュールのＨＤＤの空き容量が記録するデータのデータサイズ以上であるか否か判断する。モジュールのＨＤＤの空き容量が記録するデータのデータサイズ以上である場合、ステップＳ５４において、制御部１０１は、モジュールのＨＤＤにデータを記録し、この処理フローを終了する。それに対し、モジュールのＨＤＤの空き容量が記録するデータのデータサイズ未満である場合、ステップＳ５５において、制御部１０１は、データを記録するための容量を確保するためにモジュールのＨＤＤに記録したデータを削除することができるか否か判断する。
【００５５】
データを記録するための容量を確保するためにモジュールのＨＤＤに記録したデータを削除することができる場合、ステップＳ５６において、制御部１０１は、自動的に又は表示部１０の操作に従って、モジュールのＨＤＤに記録したデータを削除し、ステップＳ５４に進む。それに対し、データを記録するための容量を確保するためにモジュールのＨＤＤに記録したデータを削除することができない場合、ステップＳ５７において、制御部１０１は、表示部１０の操作によってＡＭ／ＦＭ放送又はＤＴＶのデータの記録が開始され、かつ、次に選択されたモジュールがＡＭ／ＦＭ放送又はＤＴＶのデータ以外のデータの記録を行っているか否か判断する。
【００５６】
表示部１０の操作によってＡＭ／ＦＭ放送又はＤＴＶのデータの記録が開始され、かつ、次に選択されたモジュールがＡＭ／ＦＭ放送又はＤＴＶのデータ以外のデータの記録を行っている場合、ステップＳ５８において、制御部１０１は、使用中のモジュールのＨＤＤの空き容量が記録するデータのデータサイズ以上であるか否か判断する。モジュールのＨＤＤの空き容量が記録するデータのデータサイズ以上である場合、ステップＳ５４に進み、それに対し、モジュールのＨＤＤの空き容量が記録するデータのデータサイズ未満である場合、ステップＳ５９において、制御部１０１は、データを記録するための容量を確保するためにモジュールのＨＤＤに記録したデータを削除することができるか否か判断する。
【００５７】
データを記録するための容量を確保するためにモジュールのＨＤＤに記録したデータを削除することができる場合、ステップＳ６０において、制御部１０１は、自動的に又は表示部１０の操作に従って、モジュールのＨＤＤに記録したデータを削除し、ステップＳ５４に進む。それに対し、データを記録するための容量を確保するためにモジュールのＨＤＤに記録したデータを削除することができない場合、この処理フローを終了する。
【００５８】
なお、ステップＳ５２で表示部１０の操作によってＡＭ／ＦＭ放送又はＤＴＶのデータの記録が開始されず、又は、最初に選択されたモジュールがＡＭ／ＦＭ放送又はＤＴＶのデータ以外のデータの記録を行っていないと判断された場合、ステップＳ５７に進み、ステップＳ５７で表示部１０の操作によってＡＭ／ＦＭ放送又はＤＴＶのデータの記録が開始されず、又は、次に選択されたモジュールがＡＭ／ＦＭ放送又はＤＴＶのデータ以外のデータの記録を行っていないと判断された場合、この処理フローを終了する。
【００５９】
この処理フローによれば、ＡＭ／ＦＭ放送やＤＴＶのデータのようなリアルタイム性を有する放送系のデータの記録を、両方のモジュールが放送系のデータ以外のデータを記録中であったとしても放送系のデータ以外のデータの記録を中断した後に行うことができる。その結果、ＤＴＶ又はＡＭ／ＦＭ放送のデータを適切なＨＤＤに記録することができる。
【００６０】
図８は、車載装置の処理フローの第６例を示す図である。図８に示す処理フローは、モジュールの使用状況及びモジュールのＨＤＤの空き容量に応じてデータの記録を行う処理フローであり、主に制御部１０１がＲＯＭ１０３に予め記憶されたプログラムに従って車載システム１内の各モジュール及び／又は要素を協働して実行される。図８に示す処理フローは、図３の処理フローのステップＳ６で第１スロット１３０及び第２スロット１４０に装着されたモジュールの一方にデータの記録が可能であると判断されたときに実行される。また、図８に示す処理フローが開始される時点で、これから車載システム１に装着されるモジュールを除いて、車載装置１００を含む車載システム１の各モジュール又は要素には、電源が供給され、動作が可能な状態になっているものとする。
【００６１】
先ず、ステップＳ６１において、制御部１０１は、第１スロット１３０又は第２スロット１４０に装着されたモジュールが使用中であるか否か判断する。第１スロット１３０又は第２スロット１４０に装着されたモジュールが使用中であると判断された場合、ステップＳ６２において、制御部１０１は、表示部１０の操作によってＡＭ／ＦＭ放送又はＤＴＶのデータの記録が開始され、かつ、モジュールがＡＭ／ＦＭ放送又はＤＴＶのデータ以外のデータの記録を行っているか否か判断する。
【００６２】
表示部１０の操作によってＡＭ／ＦＭ放送又はＤＴＶのデータの記録が開始されず、又は、モジュールがＡＭ／ＦＭ放送又はＤＴＶのデータ以外のデータの記録を行っていないと判断された場合、この処理フローを終了する。それに対し、表示部１０の操作によってＡＭ／ＦＭ放送又はＤＴＶのデータの記録が開始され、かつ、モジュールがＡＭ／ＦＭ放送又はＤＴＶのデータ以外のデータの記録を行っている場合、ステップＳ６３において、制御部１０１は、使用中のモジュールのＨＤＤの空き容量が記録するデータのデータサイズ以上であるか否か判断する。モジュールのＨＤＤの空き容量が記録するデータのデータサイズ以上である場合、ステップＳ６４において、制御部１０１は、モジュールのＨＤＤにデータを記録し、この処理フローを終了する。それに対し、モジュールのＨＤＤの空き容量が記録するデータのデータサイズ未満である場合、ステップＳ６５において、制御部１０１は、データを記録するための容量を確保するためにモジュールのＨＤＤに記録したデータを削除することができるか否か判断する。
【００６３】
データを記録するための容量を確保するためにモジュールのＨＤＤに記録したデータを削除することができる場合、ステップＳ６６において、制御部１０１は、自動的に又は表示部１０の操作に従って、モジュールのＨＤＤに記録したデータを削除し、ステップＳ６４に進む。それに対し、データを記録するための容量を確保するためにモジュールのＨＤＤに記録したデータを削除することができない場合、この処理フローを終了する。なお、ステップＳ６１で第１スロット１３０又は第２スロット１４０に装着されたモジュールが使用中でないと判断された場合、ステップＳ６４に進む。
【００６４】
この処理フローによれば、第１スロット１３０又は第２スロット１４０に装着されたモジュールのＨＤＤの空き容量に応じてデータの記録を行うことができる。その結果、ＤＴＶ又はＡＭ／ＦＭ放送のデータ、ＷｉＭＡＸのデータ、ＣＤ／ＤＶＤから再生されたデータ又はＳＤカード若しくはＵＳＢメモリから読み出されたデータを適切なＨＤＤに記録することができる。また、ＡＭ／ＦＭ放送やＤＴＶのデータのようなリアルタイム性を有する放送系のデータの記録を、両方のモジュールが放送系のデータ以外のデータを記録中であったとしても放送系のデータ以外のデータの記録を中断した後に行うことができる。その結果、ＤＴＶ又はＡＭ／ＦＭ放送のデータを適切なＨＤＤに記録することができる。
【００６５】
図９は、車載装置の処理フローの第７例を示す図である。図９に示す処理フローは、ＡＭ／ＦＭ放送やＤＴＶのデータのようなリアルタイム性を有する放送系のデータの記録を放送の受信状態に応じて行う処理フローであり、主に制御部１０１がＲＯＭ１０３に予め記憶されたプログラムに従って車載システム１内の各モジュール及び／又は要素を協働して実行される。図９に示す処理フローは、ＡＭ／ＦＭ放送又はＤＴＶのデータのＨＤＤへの記録中に実行される。また、図９に示す処理フローが開始される時点で、これから車載システム１に装着されるモジュールを除いて、車載装置１００を含む車載システム１の各モジュール又は要素には、電源が供給され、動作が可能な状態になっているものとする。
【００６６】
先ず、ステップＳ７１において、制御部１０１は、ＡＭ／ＦＭ放送又はＤＴＶの受信状態が良好であるか否か判断する。ＡＭ／ＦＭ放送又はＤＴＶの受信状態が良好である場合、ステップＳ７２において、制御部１０１は、ＡＭ／ＦＭ放送又はＤＴＶのデータのＨＤＤへの記録を継続し、この処理フローを終了する。それに対し、ＡＭ／ＦＭ放送又はＤＴＶの受信状態が良好でない場合、ステップＳ７３において、制御部１０１は、ＡＭ／ＦＭ放送又はＤＴＶのデータのＨＤＤへの記録を中断する。次に、ステップＳ７４において、制御部１０１は、ＡＭ／ＦＭ放送又はＤＴＶの受信状態が回復したか否か判断する。ＡＭ／ＦＭ放送又はＤＴＶの受信状態が回復した場合、ステップＳ７５において、制御部１０１は、ＡＭ／ＦＭ放送又はＤＴＶのデータのＨＤＤへの記録を再開し、この処理フローを終了する。それに対し、ＡＭ／ＦＭ放送又はＤＴＶの受信状態が回復しない場合、この処理フローを終了する。
【００６７】
この処理フローによれば、ＡＭ／ＦＭ放送やＤＴＶのデータのようなリアルタイム性を有する放送系のデータの記録を、ＡＭ／ＦＭ放送又はＤＴＶの受信状態に応じて継続し、中断し、又は再開することができる。その結果、ＤＴＶ又はＡＭ／ＦＭ放送のデータを適切なＨＤＤに記録することができる。
【００６８】
本発明は、上記実施の形態に限定されるものではなく、幾多の変更及び変形が可能である。例えば、車載装置１００に装着可能なモジュールの数は１以上であればよい。また、モジュールの物理的な大きさは、任意であって、用途や設計に応じて、様々な大きさ及び形状にすることができる。
【符号の説明】
【００６９】
１    車載システム
１０    表示部
１００    車載装置
１０１    制御部
１３０    第１スロット
１４０    第２スロット
２００，２００’    第１モジュール
２０１    第１コネクタ
２０２，２０２’    ＵＳＢスロット
２０３，２０３’    ＳＤスロット
２０４    デコーダ
２０５，２０５’    ＨＤＤ
２０６    第１ＭＩＤ出力回路
２０１’    第２コネクタ
２０６’    第２ＭＩＤ出力回路
【図１】
2010258810.tif 000003
【図２】
2010258810.tif 000004
【図３】
2010258810.tif 000005
【図４】
2010258810.tif 000006
【図５】
2010258810.tif 000007
【図６】
2010258810.tif 000008
【図７】
2010258810.tif 000009
【図８】
2010258810.tif 000010
【図９】
2010258810.tif 000011